(57)【特許請求の範囲】
【請求項１】
輝度・色信号処理回路（４）と文字信号挿入回路（５）との間に設けられるＤＣレベルシフト回路であって、
映像信号の交流成分を変化させずに直流電位をシフトさせる定電流回路（１）と、前記定電流回路（１）の出力を一旦バッファし、次段への不要な電気的影響を防止するバッファ回路（２）とを備え、
前記定電流回路（１）は、前記輝度・色信号処理回路（４）に直列に接続した第１の抵抗（Ｒ１）と、電源（Ｖｃｃ）と第１のトランジスタ（ＴＲ１）のコレクタとの間に接続された第２の抵抗（Ｒ２）と、前記コレクタとベースを短絡し、エミッタを接地した前記第１のトランジスタ（ＴＲ１）と、前記第１のトランジスタ（ＴＲ１）のベースにベースが共通接続され、コレクタと前記第１の抵抗が接続された第２のトランジスタ（ＴＲ２）と、を具備するＤＣレベルシフト回路。
【請求項２】
前記バッファ回路（２）は、前記第１の抵抗（Ｒ１）と前記第２のトランジスタ（ＴＲ２）のコレクタ出力にベースを共通接続し、コレクタを接地した第３のトランジスタ（ＴＲ３）と、前記第３のトランジスタ（ＴＲ３）のエミッタに接続され、エミッタと第３の抵抗（Ｒ３）の共通接点を前記文字信号挿入回路（５）の入力に接続した第３の抵抗（Ｒ３）と、を具備する請求項１に記載のＤＣレベルシフト回路。
【発明の詳細な説明】
【０００１】
【発明の属する技術分野】
本発明は、複数の複合映像信号を接続するインタフェース回路、特に、輝度信号の直流電位をシフトさせるＤＣレベルシフト回路に関する。
【０００２】
【従来の技術】
図５は従来の回路構成の一例を示す図である。ＶＴＲ等において、Ｙ／Ｃ信号分離回路４から出力された輝度信号（Ｙ）、あるいは複合映像信号をクランプ回路８を介し、Ｙ／Ｃ信号ミックス回路（図示せず）で加算して、文字信号挿入回路５に入力し、ここで複合映像信号から分離した同期信号に同期してビデオスイッチ（図示せず）を切り替えて、複合映像信号に文字信号をスーパーインポーズする。
【０００３】
ここで複合映像信号のクランプとは、垂直、水平同期信号の分離やＡ／Ｄ変換等を行うときに複合映像信号の黒レベルを一定にすることで、直流再生ともいう。図４の（ｂ）に示すように、クランプは、ピーク値をクランプするピーククランプと同期信号をクランプするシンクチップ・クランプがある。
映像信号の輝度信号の部分ではトランジスタＴＲ４はオフになったままで、同期信号の部分でトランジスタＴＲ４がオンになってコンデンサＣ+ が充電される。そして再びオフになると充電した電荷を放電する。この電圧レベルがシンクチップ・クランプレベルに固定され、結果として直流電位が再生される。
【０００４】
【発明が解決しようとする課題】
上述した従来の回路例では、Ｙ／Ｃ信号処理回路４と文字信号挿入回路５との間にクランプ回路８を挿入しており、Ｒ３及びＴＲ５の入力インピーダンスとＣ+ でＬＰＦを構成して周波数特性が悪化し、その結果、垂直同期信号にサグが発生し画質が劣化するという問題点があった。
【０００５】
ここでサグとは波形の直線性歪みの一種で、図４の（ｃ）に示すように、方形波の平坦部が傾斜して生ずる歪みのことである。主に低周波特性の劣化によって生ずる。
【０００６】
【課題を解決するための手段】
図１は、本発明に係わるＤＣレベルシフト回路の基本構成を示す図である。既に図５で説明した同様の構成には、同一の参照番号あるいは記号を付して示す。本発明の基本構成は、従来の回路とは異なりクランプ回路８の代わりに複合映像信号、より正確にいえば輝度信号の直流電位をシフトさせるＤＣレベルシフト回路を挿入している。
【０００７】
輝度信号をクランプして得た信号と輝度信号のＤＣレベルをシフトさせて得た結果は、ほぼ同じ結果が得られ、周波数特性の劣化もなく動作も高速である。ただしクランプの場合は、輝度信号のシンクレベルを固定して直流電位を決定するが、本発明のＤＣレベルシフト回路は、輝度信号全体シフトさせて直流電位を決定している点が異なる。
【０００８】
【発明の実施の形態】
図２は、本発明に係わる第１実施形態を示す図である。この実施形態による要旨は次の点にある。本発明の実施形態によれば、電源電圧や温度変化にかかわらず常に一定の電流を送出する定電流回路６、あるいはカレントミラー回路と、次段の文字信号挿入回路５への不要な電気的影響を防止するバッファ回路７とから構成される。
【０００９】
図２に示す本発明の第１実施形態をさらに詳しく説明する。第１のトランジスタＴＲ１と第２のトランジスタＴＲ２とから成るカレントミラー回路と第２の抵抗Ｒ２で定電流回路６を構成している。ここでカレントミラーとは、２つのトランジスタを電気的、温度特性的にほぼ同じ特性にすると、両方のトランジスタのＶBE（ベース−エミッタ間電圧）は同じになり、第１のトランジスタＴＲ１のコレクタに入力する電流と第２のトランジスタＴＲ２のコレクタから出力される電流が同じになる。定電流回路６は、電源電圧や温度の変動に対し電流を一定にする機能がある。Ｙ／Ｃ信号処理回路４の出力Ｙ信号（同期信号を含む）はＤＣレベルシフト回路の第１の抵抗Ｒ１を介して第２のトランジスタＴＲ２のコレクタに入力され、第２のトランジスタＴＲ２のコレクタからバッファ回路７に出力される。このとき、第１の抵抗Ｒ１と第２のトランジスタＴＲ２に流れる電流Ｉによりａ点の直流電位が図４に示すように、Ｒ１×Ｉ（Ｖ）降下する。第２の抵抗Ｒ２の値を大きくすると直流電位のレベルが低くなり、第２の抵抗Ｒ２の値を小さくすると直流電位のレベルが高くなる。
【００１０】
この回路で輝度信号の直流電位をシフトする理由は、Ｙ／Ｃ信号処理回路４の複合映像信号の直流電位はすでに固定されているが、この電位では、集積回路化されている文字信号挿入回路５には多少電位が高く最適に動作できないため、直流電位を降下させる必要があるから、画面の明るさ、すなわち輝度を低下させて適度な画面の明るさにするためである。
【００１１】
以上のことから分かるように、直流電位が低くなると文字信号の輝度レベルが低くなり、直流電位が高くなると文字信号の輝度レベルが高くなるという相関関係がある。一般に、容量結合した増幅回路を用いると、直流成分が失われ複合映像信号の黒レベルが変動する。
複合映像信号が水平同期信号の最低レベルでシンクチップ・クランプされていると、文字信号の輝度レベルは、複合映像信号のペデスタル・レベル以上の電圧でなければならない。
【００１２】
直流電位が降下した輝度信号は、第３のトランジスタＴＲ３と第３の抵抗Ｒ３で構成されるバッファ７を経て文字信号挿入回路５に供給される。
図３は、本発明に係わる第２実施形態を示す図である。この第２実施形態は第１実施形態と回路構成は同じである。第１実施形態では、ＤＣレベルシフト回路の入力先がＹ／Ｃ信号処理回路４、出力先が文字信号挿入回路５になっていたのが、第２実施形態では、複合映像信号処理回路９と同期信号分離回路やＡ／Ｄ変換回路１０などの間に追加することが可能である。同期信号分離やＡ／Ｄ変換を行うときにも同様に直流電位を固定する必要がある。もし、直流電位が一定でなく絶えず変動すると正常な信号処理を行うことができなくなる。第２実施形態の詳細な回路動作は第１実施形態と同じなので省略する。
【００１３】
【発明の効果】
以上説明したように、本発明によれば、次のような顕著な効果を有する。
（ｉ）電源投入時など、クランプ回路８の追加時の欠点である直流電位が固定されるまでの時間がかからない。
（ｉｉ）周波数特性の劣化による垂直同期信号のサグの発生を防ぐことができる。
【図面の簡単な説明】
【図１】本発明に基づくＤＣレベルシフト回路の要部構成を示すブロック図である。
【図２】  本発明に基づくＤＣレベルシフト回路の第１実施形態を示す回路図である。
【図３】  本発明に基づくＤＣレベルシフト回路の第２実施形態を示す回路図である。
【図４】輝度信号の直流電位のシフトと輝度信号のサグの発生を示す説明図である。
【図５】クランプ回路を追加した従来の回路構成を示す回路図である。
【符号の説明】
１…定電流手段
２…緩衝手段
４…輝度・色信号（Ｙ／Ｃ）処理回路
５…文字信号挿入回路
６…定電流回路
７…バッファ
８…クランプ回路
９…複合映像信号処理回路
１０…同期信号分離・Ａ／Ｄ変換回路
【図１】
0003759646.tif 000002
【図２】
0003759646.tif 000003
【図３】
0003759646.tif 000004
【図４】
0003759646.tif 000005
【図５】
0003759646.tif 000006